(57)【特許請求の範囲】
【請求項１】
粉砕気体として圧縮気体を用いるジェットミル（１）により非常に微細な粒子を生成する方法であって、
前記粉砕気体は４．５ｂａｒ（ａｂｓ）以下の絶対圧力を有し、
前記粉砕気体の温度は１００℃より高く、
前記ジェットミルの動作のための選択のステップを含み、
前記選択のステップが、
粉砕プロセスの比断熱エネルギ消費量が７ｂａｒ（ａｂｓ）より大きい粉砕気体の絶対圧力を用いて判断されるステップと、
次に、同一の粉砕プロセスの比断熱エネルギ消費量が４．５ｂａｒ（ａｂｓ）より小さい粉砕気体の絶対圧力を用いて判断されるステップと、
前記２つの比断熱エネルギ消費量が比較され、前記ジェットミル（１）の動作のために、
Ｅａｄ，ｓｐｅｃ（４．５）≦Ｅａｄ，ｓｐｅｃ（７）
の場合には、４．５ｂａｒ（ａｂｓ）以下の絶対圧力である低い方の圧力範囲が選択されるステップと、を含むことを特徴とする方法。
【請求項２】
無機物のジェット粉砕が前記粉砕気体によりなされることを特徴とする請求項１に記載の方法。
【請求項３】
前記２つの比断熱エネルギ消費量の判断及びこれらの比較は、前記ジェットミルの動作の開始毎又は前記ジェットミルの動作の再開毎に行われることを特徴とする請求項１に記載の方法。
【請求項４】
前記２つの比断熱エネルギ消費量の判断及び比較は、自動的に行われることを特徴とする請求項３に記載の方法。
【請求項５】
流動層ジェットミル又は濃厚層ジェットミルが使用されることを特徴とする請求項１から４のいずれか１つに記載の方法。
【請求項６】
前記ジェットミル（１）に一体化された動的空気分級器（７）が使用されることを特徴とする請求項１から５のいずれか１つに記載の方法。
【請求項７】
前記動的空気分級器（７）は、半径が減少するにつれて開口部高さが増大する分級ロータ又は分級ホイール（８）を含み、動作の間、流れが生ずる前記分級ロータ又は分級ホイール（８）の表面積は少なくとも一定であることを特徴とする請求項６に記載の方法。
【請求項８】
前記動的空気分級器（７）は、交換可能な埋込パイプ（２０）を有する分級ロータ又は分級ホイール（８）を含み、前記交換可能な埋込パイプ（２０）は前記分級ロータ又は分級ホイール（８）と共に回転することを特徴とする請求項６又は７に記載の方法。
【請求項９】
下流に行くに従い断面が拡大する微細材料出口チャンバ（４１）が設けられることを特徴とする請求項１から８のいずれか１つに記載の方法。
【発明の詳細な説明】
【技術分野】
【０００１】
本発明は、ジェットミルを用いて非常に微細な粒子を生成する方法に関する。
【背景技術】
【０００２】
分級されるべき又は粉砕されるべき材料は、粗い粒子及び微細な粒子からなり、当該粗い粒子及び微細な粒子は空気流に乗せられ、ジェットミルの空気分級器のハウジングに導かれるプロダクト流を形成する。プロダクト流は径方向に空気分級器の分級ホイールに導かれる。分級ホイールにおいて、粗い粒子は空気流から分けられ、微細粒子を有する空気流は流出パイプを経て軸方向に分級ホイールから離れる。フィルタにより除去されるべき又は生成されるべき微細粒子を有する空気流はフィルタに導かれ、例えば、空気のような流体と微細粒子とは互いに分けられる。
【０００３】
独国特許出願公開第１９８２４０６２Ａ１号から、上記のジェットミルが公知であり、高フローエネルギを有する過熱ストームから形成される高いエネルギ粉砕ジェットがジェットミルの粉砕チャンバに導かれる。この粉砕チャンバは、少なくとも１つの粉砕ジェットのためのインレット装置に加えて、粉砕材料のための入口と、プロダクトのための出口を有する。粉砕材料が、過熱流と粉砕材料とから形成される少なくとも１つの粉砕ジェットと交差する領域において、粉砕ジェット及び粉砕材料は少なくともほぼ同一の温度を有している。
【０００４】
さらに、例えば、欧州特許第０４７２９３０Ｂ１号から、特にジェットミルのための空気分級器が公知である。原理的には、この空気分級器及び操作方法は非常に申し分のないものである。
【発明の開示】
【０００５】
本発明の目的は、ジェットミルにより非常に微細な粒子を生成する方法をさらに最適化することである。
【０００６】
この目的は、請求項１に記載の非常に微細な粒子を生成する方法により達成される。
【０００７】
よって、粉砕気体として圧縮気体を用いるジェットミルにより非常に微細な粒子を生成する方法は、粉砕気体が４．５ｂａｒ（ａｂｓ）以下の圧力を有することにより特徴付けられる。
【０００８】
その結果、圧縮気体を用いるジェットミルのエネルギ的に最適化された操作のための方法が提供される。
【０００９】
好ましい実施例では、無機物のジェット粉砕は粉砕気体を用いてなされる。
【００１０】
さらに、上記方法は、好ましくは、１００℃より大きい温度の粉砕気体を用いることにより改良され、特に、粉砕気体の温度は約１８０℃から約２００℃の範囲である。
【００１１】
さらに、上記方法に以下の特徴を与えると有利である。当該特徴は、
粉砕プロセスの比断熱エネルギ消費量（specific adiabatic energy）が、７ｂａｒ（ａｂｓ）より大きい粉砕気体圧力を用いて判断され、
その後、同一の粉砕プロセスの比断熱エネルギ消費量が、４．５ｂａｒ（ａｂｓ）より小さい粉砕気体圧力を用いて判断され、
２つのエネルギ消費量が比較され、
Ｅａｄ，ｓｐｅｃ（４．５）≦Ｅａｄ，ｓｐｅｃ（７）
の場合には、低い方の圧力範囲が選択されることである。
【００１２】
好ましくは、流動層ジェットミル又は濃厚層（dense bed）ジェットミルが使用される。
【００１３】
好ましくは、２つのエネルギ消費量の判断及びこれらの比較が、ジェットミルの動作が開始される毎、又は再開される毎に行われる。ここで、２つのエネルギ消費量の判断及びこれらの比較が自動で行われる。比較の結果に従い動作モード設定が自動的になされるならば特に有利である。
【００１４】
さらに、ジェットミルに一体化された動的空気分級器が使用されると有利である。空気分級器が、半径が減少するにつれて開口部高さが増大する分級ロータ又は分級ホイールを含み、動作の間、流れが生ずる分級ロータ又は分級ホイールの表面積は少なくともほぼ一定であるとさらに有利である。これとは別個に又は追加して、空気分級器が、埋込パイプ（Tauchrohr）を有する分級ロータ又は分級ホイールを含んでいてもよい。当該埋込パイプは特に交換可能であり、分級ロータ又は分級ホイールが回転するのと同時に回転するように形成される。
【００１５】
また、上記方法の別の実施例においては、下流に行くに従い断面が拡大する微細材料出口チャンバが使用されると有利である。
【００１６】
本発明の好ましい及び／又は有利な方法（実施の形態）は、請求項、請求項の組み合わせ、及び本出願の全てから明らかとなる。
【００１７】
本発明は単に例として図面を参照しつつ以下の実施例を使用してより詳しく説明される。
【発明を実施するための最良の形態】
【００１８】
本発明は、以下において説明され且つ図面に示した実施例及び例示的な用途を参照しつつ、単に例としてより詳しく説明される。すなわち、本発明は、これら実施例及び例示的な用途、又は各実施例及び例示的な用途内の特徴のそれぞれの組み合わせに限定されない。方法及び装置の特徴は、装置及び方法の説明から同じように明らかとなる。
【００１９】
実際の実施例に関連して記載した及び／又は示した個々の特徴は、これら実施例又はこれら実施例の別の特徴との組み合わせに限定されず、代わりに、これらが与えられた文書において別個に扱われていなくても、その他の変形により技術的に可能な範囲内で組み合わされ得る。
【００２０】
各図面及び図面の装置における同一の参照符号は、同一若しくは類似する要素、又は同一若しくは類似する機能である要素を示している。図面を参照すると、上記特徴が以下において説明されているかいないかにかかわらず別個に参照符号を付された上記特徴は明らかになる。一方、本明細書に含められているが、図面において見られない又は示されていない特徴も、当業者により容易に理解される。
【００２１】
ジェットミルを用いて非常に微細な粒子を生成する方法については、本発明により与えられる新しいステップは各ステップの図面を示さなくても十分に明確であり、理解できる。
【００２２】
粉砕気体として圧縮気体を用いるジェットミルにより非常に微細な粒子を生成する方法においては、粉砕気体は４．５ｂａｒ（ａｂｓ）以下の圧力を有する。その結果、有利な方法においては、圧縮気体を用いるジェットミルのエネルギ的に最適化された操作のための方法が提供される。
【００２３】
好適な実施例において、無機物のジェット粉砕は粉砕気体によりなされる。上記方法は１００℃より大きい温度、特に、約１８０℃から約２００℃の範囲の粉砕気体温度を有する粉砕気体を用いることによりさらに改良されると有利である。
【００２４】
さらに、本発明によれば、例えば、流動層ジェットミルのようなジェットミルを操作する方法において、７ｂａｒ（ａｂｓ）より大きい粉砕気体圧力を用いる粉砕プロセスの比断熱エネルギ消費量は、当業者には周知であるセンサ及びプロセッサデバイスを用いて判断される。当該センサ及びプロセッサデバイスの構造は、本明細書においてさらに説明される必要はない。７ｂａｒ（ａｂｓ）より大きい粉砕気体圧力において得られる比断熱エネルギ消費量の値はメモリに転送されると有利である。その後、同じセンサ及びプロセッサデバイスを用いて、同一の粉砕プロセスの比断熱エネルギ消費量が、４．５ｂａｒ（ａｂｓ）より小さい粉砕気体圧力を用いて判断される。好ましくは、４．５ｂａｒ（ａｂｓ）より小さい粉砕気体圧力における比断熱エネルギ消費量の値がメモリに読み込まれる。２つのエネルギ消費量が、例えば、エネルギ消費量の判断に使用されたプロセッサデバイス、又はその他のデバイスを用いて比較され、
Ｅａｄ，ｓｐｅｃ（４．５）≦Ｅａｄ，ｓｐｅｃ（７）
の場合においては、ジェットミルの動作のために低い方の圧力範囲が選択される。対応する動作モードが、例えば適切な公知のデバイスに視覚的に表示された比較の結果に従い手動で設定され得るということの他に、比較の結果に従い対応する動作モードの自動設定が可能である。但し、その条件として、適切な制御手段が与えられ、当該制御手段が、比較結果を判断（決定）するプロセッサデバイスに接続され且つ制御デバイスに接続され、プロセッサデバイスによる比較の結果に基づいて、制御デバイスに対応する動作モードを設定することが必要となる。
【００２５】
本発明による方法は、特に粉砕されるべき新しい材料によるジェット粉砕の新しい動作毎の前に行われると好ましく、従って、ジェットミルの動作処理の全体の一部となる。
【００２６】
さらに、ジェットミルに一体化された動的空気分級器が使用されることが好ましい。ここでは、空気分級器が、半径が減少するにつれて開口部高さが増大する分級ロータ又は分級ホイールを含み、動作の間、流れが生ずる分級ロータ又は分級ホイールの表面積が少なくともほぼ一定であることが好ましい。これとは別個に又は追加して、空気分級器が、埋込パイプ（Tauchrohr）を有する分級ロータ又は分級ホイールを含んでいてもよい。当該埋込パイプは特に交換可能であり、分級ロータ又は分級ホイールが回転するのと同時に回転するように形成される。
【００２７】
また、上記方法を実施する際に、下流に行くに従い断面が拡大する微細材料出口チャンバが使用されると有利である。
【００２８】
図１において、上記方法を実施するジェットミル１の実施例が、概略的に示されている。上述したように、本発明による方法は、手動又は自動で実施されてもよく、この選択は、上記方法の効果に基本的に影響を与えない。自動化した場合、稼働費用のさらなる低減が当然可能であり、当業者に対して公知である装置及び手段によって容易に実施することができる。しかしながら、これは、本発明により新しく提供された各ステップが当業者により知られているということを意味しているわけではない。いずれにせよ、通常の及び特定のセンサ、測定装置、プロセッサ、記憶部（メモリ）、制御装置、及びコントローラの説明が必要ではないことは明白である。なぜなら、本発明による方法のための装置によりこれらを実装することは、この知識のための進歩性を必要としないからである。
【００２９】
図１によるジェットミル１は、粉砕チャンバ３を取り囲む円筒状ハウジング２、粉砕チャンバ３のほぼ半分の高さに設けられた粉砕材料供給器４、粉砕チャンバ３の下方領域に設けられた少なくとも１つの粉砕ジェット入口５、及び粉砕チャンバ３の上方領域に設けられたプロダクト出口６を含んでいる。ある粒子サイズ未満の粉砕材料だけを粉砕チャンバ３からプロダクト出口６を介して排出し且つ選択された値より大きい粒子サイズを有する粉砕材料を別の粉砕プロセスに送るために、空気分級器７が、回転分級ホイール８と共に円筒状ハウジング２に配置され、当該回転分級ホイール８により、粉砕材料（図示せず）が分級される。
【００３０】
分級ホイール８は、空気分級器に用いられる典型的な分級ホイールであってもよい。これら分級器のブレード（以下の説明、例えば図３に関連した説明を参照）は、径方向のブレードチャネルを画定し、当該ブレードチャネルの外側端において分級空気が入り込み、小さな粒子サイズ又は小さな質量の粒子が中心出口及びプロダクト出口６に沿って取り込まれ、一方、大きな粒子又は大きな質量の粒子は遠心力の影響を受けてそらされる。特に、空気分級器７及び／又は少なくとも当該空気分級器７の分級ホイール８は、欧州特許第０４７２９３０Ｂ１号による少なくとも１つの構造的な特徴（部）を備えている。
【００３１】
１つの粉砕ジェット入口５だけが設けられてもよく、例えば、当該粉砕ジェット入口５は、径方向に向けられた１つの入口開口部又は入口ノズル９からなり、１つの粉砕ジェット１０が粉砕材料粒子に高エネルギで衝突する。当該粉砕材料粒子は粉砕材料供給器４から粉砕ジェット１０の領域に投入され、粉砕材料粒子は小さな部分粒子に分解され、分級ホイール８により引き出される。当該粉砕材料粒子が適切な小さなサイズ又は質量を有するならば、当該粉砕材料粒子はプロダクト出口６を介して外方向に運ばれる。しかしながら、より良い効果は、対になり直径方向に対向した複数の粉砕ジェット入口５により達成される。当該対になり直径方向に対向した複数の粉砕ジェット入口５は、２つの相互に衝突する粉砕ジェット１０を形成し、特に所定の数の粉砕ジェットの対が生成されるならば、１つの粉砕ジェット１０だけのときよりもより強い粒子分解を行う。
【００３２】
さらに、例えば、処理温度は、粉砕材料供給器４と粉砕ジェット１０の領域との間の内部熱源１１若しくは粉砕材料供給器４の外側領域における熱源１２の使用によって影響を受け得るか、又は熱損失を防ぎつつ粉砕材料供給器４に導かれた既に加熱された粉砕材料の処理粒子によって影響を受け得る。供給パイプ１３は断熱スリーブ１４により囲まれている。熱源１１又は１２は、所定の要求に従い任意に選択され、所定の目的に従い使用されてもよく、市販されているかどうかに従い選択されてもよく、さらなる説明は必要とされない。
【００３３】
温度については、特に、１つの粉砕ジェット又は複数の粉砕ジェット１０の温度が関係しており、粉砕材料の温度は少なくともほぼこの粉砕ジェット温度に一致しているべきである。
【００３４】
粉砕ジェット入口５を通って粉砕チャンバ３に導かれる粉砕ジェット１０を形成するために、例えば過熱流が使用されてもよいが、その他の適切な流体が使用されてもよい。過熱流が使用される場合、各粉砕ジェット入口５の入口ノズル９の後の水流の熱容量は、入口ノズル９の前の熱容量より非常に低くないことが仮定される。衝突粉砕のために必要とされるエネルギは、フローエネルギにより主に与えられるので、入口ノズル９の入口５と出口１６との間の圧力低下は大きくてもよく（圧力エネルギの大部分は、フローエネルギに変えられる）、温度低下が大きくてもよい。特に、この温度低下は、少なくとも２つの衝突する粉砕ジェット１０が存在する場合又は２つの粉砕ジェット１０が複数存在する場合、粉砕材料及び粉砕ジェット１０が粉砕チャンバ３の中心１７の領域において同一の温度を有するように、粉砕材料の加熱により十分に補償されるべきである。
【００３５】
特に閉ざされたシステム（closed system）の場合、過熱流から粉砕ジェット１０を形成し、調整を行うために、独国特許出願公開第１９８２４０６２Ａ１号を参照されたい。このことについては、当該独国特許出願公開第１９８２４０６２Ａ１号の全開示内容は、全範囲を本明細書に含めるものとし、この参照により単なる同一内容の繰り返しを避ける。閉ざされたシステムにより、例えば、最適な効率でホットスラグ（hot slag）（粉砕材料）を粉砕することが可能になる。
【００３６】
動作手段若しくは動作媒体Ｂの供給をそれぞれ示しているジェットミル１の本発明の実施例の図面において、貯蔵器又は生成装置１８、例えばタンク１８ａが示されており、動作手段又は動作媒体Ｂは、当該タンク１８ａからチャネル装置１９を介して１つの粉砕ジェット入口５又は複数の粉砕ジェット入口５に導かれ、１つの粉砕ジェット１０又は複数の粉砕ジェット１０を形成する。タンク１８ａの代わりに、例えばコンプレッサを使用して、対応する動作媒体Ｂを提供することができる。
【００３７】
特に、上記空気分級器７を備えているジェットミル１によって、非常に微細な粒子を生成する方法が、一体化された動的空気分級器７により実施される。実施例は、本明細書において、単なる例であり且つ限定を意図しておらず、単なる例であり且つ限定ではないことが理解されるべきである。動作手段Ｂとして通常、流体が使用され、好ましくは、当該流体は、上記の水蒸気であるが、水素ガス、ヘリウムガス、又は単なる空気であってもよい。
【００３８】
さらに、分級ロータ８が、半径を減少しつつ増大する開口部高さ、すなわち高さ方向に増大する開口部高さを有するならば、特に、流れが生ずる分級ロータ８の表面積が一定であると有利である。これに加えて又はこれとは別個に、下流に行くに従い断面が拡大する微細材料出口チャンバ（図示せず）が設けられてもよい。
【００３９】
ジェットミル１について特に好ましい例は、交換可能な同時回転埋込パイプ２０を有する分級ロータ８を含んでいる。
【００４０】
単に説明のため及び全体の理解を深めるために、処理されるべき材料から生成されるべき粒子に関する更なる詳細が以下において説明される。例えば、この材料は、ジェットミルにより粉砕されるアモルファスＳｉＯ２、又はその他のアモルファス化学生成物を含んでいる。その他の材料は、ケイ酸、シリカゲル、又は所定の量のカーボンブラックを有するケイ酸塩若しくは材料である。
【００４１】
以下において、図２及び図３を参照しつつ、ジェットミル１及びジェットミル１の部品の例示的な例の更なる詳細及び実施例が説明される。
【００４２】
図２の概略図からわかるように、ジェットミル１は一体化された空気分級器７を含んでいる。流動層ジェットミル又は濃厚層ジェットミルのようなジェットミル１の場合、この空気分級器は動的空気分級器７であり、有利には、当該動的空気分級器７は、ジェットミル１の粉砕チャンバ３の中心に配置される。粉砕材料の所望の細かさは粉砕気体体積流量及び分級器の回転速度の関数として影響を受け得る。
【００４３】
図２によるこのジェットミル１の空気分級器７において、垂直型空気分級器７の全体は分級器ハウジング２１により囲まれており、当該分級器ハウジング２１はハウジングの上方部分２２とハウジングの下方部分２３とからほぼ形成されている。ハウジングの上方部分２２及びハウジングの下方部分２３は、上方エッジ及び下方エッジに外方向に向けられた周囲フランジ２４及び２５をそれぞれ有している。空気分級器８の取り付けられた状態又は機能する状態において、２つの周囲フランジ２４、２５は一方が他方の上に存在し、適切な手段により互いに対して固定されている。このような固定するために適切な手段は、例えばネジ接続手段（図示せず）である。クランプ（図示せず）等が取り外し可能な取付手段として使用され得る。
【００４４】
フランジ周縁の事実上任意の位置において、周囲フランジ２４及び２５は関節部２６により互いに結合されており、ハウジングの上方部分２２は、フランジ結合手段の取り外しの後に、ハウジングの下方部分２３に対して矢印２７の方向に上方に回動（旋回）されることができ、ハウジングの上方部分２２は下方からアクセス可能になり、ハウジングの下方部分２３は上方からアクセス可能になる。ハウジングの下方部分２３は、当該下方部分２３の一部として、２つの部品から形成され、上方開口端部に周囲フランジ２５を有する円筒状の分級スペースハウジング２８と下方向に同軸で先細になった排出コーン状部材２９とを含んでいる。排出コーン２９及び分級スペースハウジング２８は、フランジ３０及び３１を有する上方端部又は下方端部において一方が他方の上に存在し、排出コーン状部材２９及び分級スペースハウジング２８の２つのフランジ３０、３１は、周囲フランジ２４、２５のように取り外し可能な取付手段（図示せず）により互いに結合されている。このように組み立てられる分級器ハウジング２１は支持アーム２８ａ内に吊されるか支持アーム２８ａに（から）吊される。これら支持アームの幾つかは、ジェットミル１の空気分級器７の分級器又はコンプレッサハウジング２１の周囲の周りに、できる限り均一な間隔で配置され、円筒状の分級スペースハウジング２８と接触している。
【００４５】
空気分級器７の取り付けられたハウジング装置の必須の部分は、上方カバーディスク３２、軸方向にスペースを空けられた下方流出側カバーディスク３３、及びブレード３４を有する分級ホイール８であり、当該ブレード３４は、２つのカバーディスク３２及び３３の外方エッジ同士の間に好ましい輪郭を有し、これらカバーディスクに堅固に結合され、分級ホイール８の周囲の周りに均一に配置されている。この空気分級器７において、分級ホイール８は上方カバーディスク３２により駆動され、一方、下方カバーディスク３３は流出側カバーディスクである。分級ホイール８の支持部は、好ましくは強制的に駆動される分級ホイールシャフト３５を含み、当該分級ホイールシャフト３５は、その上端が分級器ハウジング２１の外に導かれ、浮遊ベアリングで分級器ハウジング２１内の下端が回転不能に固定された分級ホイール８を支持している。分級器ハウジング２１の外に分級ホイールシャフト３５を導くことは一対の処理プレート３６、３７で実現され、当該一対の処理プレート３６、３７は、上方に錐台状になったハウジング端部３８の上方端部において分級器ハウジング２１を閉ざし、分級ホイールシャフト３５を案内し、分級ホイールシャフト３５の回転動作を邪魔することなくこのシャフト通路を封止する。好ましくは、上方プレート３６が、分級ホイールシャフト３５における回転あそび（rotational play）無しにフランジとして設けられ、下方プレート３７における回転ベアリング３５ａによって回転自在に支持される。当該下方プレート３７はその側面においてハウジング端部３８に配置される。流出側カバーディスク３３の下側は周囲フランジ２４と２５との間の共有面に存在し、分級ホイール８の全体はハウジングの折り重なる上方部２２内に配置されている。円錐形のハウジング端部３８の領域において、ハウジングの上方部２２は、粉砕材料供給器４のパイプ状のプロダクト供給コネクタ３９を有し、当該プロダクト供給コネクタ３９の長手軸は、分級ホイール８、駆動部、又は分級ホイールシャフト３５の回転軸４０に平行であり、ハウジングの上方部２２において径方向の外方向に配置された分級ホイール８、駆動部、又は分級ホイールシャフト３５の回転軸４０からできる限り離れている。
【００４６】
分級器ハウジング２１は管状出口コネクタ２０を収容している。当該管状出口コネクタ２０は、分級ホイール８と同軸に配置され、分級ホイール８の流入側カバーディスク３３の下に隙間無く存在するが、前記分級ホイールに結合されていない当該管状出口コネクタ２０の上端により設けられている。同じ様な管状である出口チャンバ４１が存在しているが、当該出口チャンバ４１の直径は出口コネクタの直径よりも非常に大きく、この実施例においては、出口コネクタ２０の直径の少なくとも２倍である。この出口チャンバはパイプとして設けられた出口コネクタ２０の下端に同軸に配置される。よって、出口コネクタ２０と出口チャンバ４１との間の遷移部における直径には明らかな違い（大きな差）がある。出口コネクタ２０は出口チャンバ４１の上方カバープレート４２に挿入される。底部において、出口チャンバ４１は取り外し可能なカバー４３により閉ざされている。出口コネクタ２０と出口チャンバ４１から形成される構造ユニットは、当該構造ユニットの周囲の周りに一様に星状に配置された幾つかの支持アーム４４により保持され、出口コネクタ２０の領域における当該支持アーム４４の内端は当該構造ユニットに堅固に結合され、当該支持アーム４４の外端により分級器ハウジング２１に固定されている。
【００４７】
出口コネクタ２０は円錐形環状ハウジング４５により囲まれ、当該円錐形環状ハウジング４５の下方の長い外径は出口チャンバ４１の直径に少なくともほぼ一致し、当該円錐形環状ハウジング４５の上方の短い外径は分級ホイール８の直径に少なくともほぼ一致している。支持アーム４４は、環状ハウジング４５の円錐形壁部まで伸び、この壁部に堅固に結合され、出口コネクタ２０と出口チャンバ４１から形成される構造ユニットの一部となっている。
【００４８】
支持アーム４４及び環状ハウジング４５は、空気噴射（scavenging air）装置（図示せず）の一部であり、空気噴射装置からの所定量・所定速度の空気が、分級ホイール８と出口コネクタ２０との間のギャップ、より正確には分級ホイール８の下方カバーディスク３と出口コネクタ２０との間のギャップに分級器ハウジング２１の内部スペースからの材料の侵入を防止する。この空気噴射装置からの所定量・所定速度の空気が環状ハウジング４５に届き、当該環状ハウジング４５から開いたままにされるべきギャップ（溝）に届くことを可能にするために、支持アーム４４はパイプとして設けられ、当該支持アーム４４の外端部は分級器ハウジング２１の壁部を貫通し、吸込フィルタ４６を介して洗浄空気源（図示せず）に結合されている。環状ハウジング４５は穴を開けられたプレート４７により上方から閉ざされており、ギャップ（溝）は、穴を開けられたプレート４７と分級ホイール８の下方カバーディスク３３との間の領域において軸方向に調整可能なリングディスクにより調整され得る。
【００４９】
出口チャンバ４１の排出部は微細材料排出パイプ４８により形成され、当該微細材料排出パイプ４８は、外に伸び、分級器ハウジング２１に入り、出口チャンバ４１に接線方向に結合されている。微細材料排出パイプ４８はプロダクト出口６の一部である。出口チャンバ４１への微細材料排出パイプ４８の開口部のケーシング（casing）が偏向コーン状部材４９として機能する。
【００５０】
円錐形ハウジング端部３８の下端において、分級空気入口螺旋部５０及び粗い材料の排出部５１は、ハウジング端部３８に水平方向に配置されている。分級空気入口螺旋部５０の回転方向は分級ホイール８の回転方向と反対である。粗い粒子の排出部５１は、取り外し可能にハウジング端部３８に設けられ、フランジ５２が、ハウジング端部３８の下端に設けられ、フランジ５３が粗い材料の排出部５１の上端に設けられている。フランジ５２及び５３は、空気分級器７が動作するように準備されたとき、公知の手段により互いに取り外し可能に結合される。
【００５１】
形成されるべき分散領域は符号５４により示されている。きれいな流れのガイド及び単純なケーシングのために内部エッジにおいて加工されたフランジ（角を削られたフランジ）は符号５５により示されている。
【００５２】
最後に、摩耗を受ける部分として取替可能な保護パイプ５６が出口コネクタ２０の内壁に設けられ、取替可能な保護パイプ５７が出口チャンバ４１の内壁に設けられ得る。
【００５３】
図示した動作状態における空気分級器７の動作の始めにおいて、分級空気は、所定の圧力勾配及び適切に選択された入口速度の条件下で、空気分級器７に分級空気入口螺旋部５０を介して導かれる。特にハウジング端部３８の先細になった部分と共に螺旋部による分級空気の導入の結果、分級空気は分級ホイール８の領域に螺旋のように上方に上昇する。同時に、異なる質量の固体粒子から形成される「プロダクト」はプロダクト供給コネクタ３９を介して分級器ハウジング２１に投入される。このプロダクトのうち、粗い材料、すなわち大きな質量を有する粒子の部分は分級空気に対向して粗い材料の排出部５１の領域に動き、さらなる処理をなされる。微細粒子、すなわち小さな質量を有する粒子の部分は分級空気と混合され、分級ホイール８により、外側から内側に径方向に動かされ、出口コネクタ２０及び出口チャンバ４１に入り、最終的に微細粒子排出パイプ４８を介して微細材料排出部すなわち出口５８に入り、そして、そこからフィルタに導かれる。当該フィルタにおいて、例えば空気のような流体である動作手段と微細材料とは互いに分けられる。より粗い微細材料成分（微細材料の中の質量の大きい成分）は、分級ホイール８の外に径方向に遠心分離され粗い材料と混合された後、粗い材料と共に分級器ハウジング２１から取り除かれるか、当該より粗い微細材料成分（微細材料の中の質量の大きい成分）が分級空気により排出される粒子サイズの微細材料になるまで分級器ハウジング２１において循環させられる。
【００５４】
出口コネクタ２０から出口チャンバ４１に断面が急激に拡大するので、微細材料と空気との混合物の流速の明らかな減速がそこにおいて起こる。よって、この混合物は、出口チャンバ４１を通り、微細材料排出パイプ４８を介して、微細材料出口５８に非常に遅い流速で導かれ、出口チャンバ４１の壁部は少ししか摩耗されない。一方、保護パイプ
５７は、単なる予防（予備的な）手段である。しかしながら、よい分別技術の故に、分級ホイール８における速い流速が、排出部すなわち出口コネクタ２０においてまだ存在している。これは、保護パイプ５６が保護パイプ５７より重要である理由である。特に重要なことは、出口コネクタ２０から出口チャンバ４１への遷移部における直径の拡大による直径の差である。
【００５５】
さらに、空気分級器７は、説明されたような分級器ハウジング２１の再分割と各サブハウジングへの分級器の部品の配置とによって適切に修理され、損傷を受けた部品は比較的低コスト及び短いメンテナンス時間で取替られ得る。
【００５６】
図２の概略図は、２つのカバーディスク３２及び３３、並びにこれらカバーディスク同士の間に配置されたブレードリング５９を有する分級ホイール８を示しており、ブレード（５９）のブレード３４は、平行且つ平行な表面のカバーディスク３２及び３３を有する既に公知である典型的な形を有している。一方、図３において、空気分級器７の別の実施例のための分級ホイール８は有利な実施形態で示されている。
【００５７】
図３によるこの分級ホイール８は、ブレード３４を有するブレードリング５９に加えて、上方カバーディスク３２及び当該上方カバーディスク３２から軸方向に間隔を開けられた下方流出側カバーディスク３３を含み、回転軸４０の周りを回転することができ、従って空気分級器７の長手軸の周りを回転することができる。分級ホイール８の直径は、回転軸４０すなわち空気分級器７の長手軸に垂直方向に広がっている（回転軸４０及び上記長手軸が垂直であるか水平であるかに依存しない）。下方流出側カバーディスク３３は、出口コネクタ２０を同軸で囲んでいる。ブレード３４はカバーディスク３３及び３２に結合されている。２つのカバーディスク３２及び３３は、従来とは異なり円錐形に形成され、上方カバーディスク３２から流出側カバーディスク３３まで距離は、好ましくは、ブレード３４のカラー５９から内側に向かって、すなわち回転軸４０の方向に向かって大きくなっており、例えば、線形又は非線形で連続しており、よって、流れが生ずる円筒形スリーブの表面積がブレード排出エッジと出口コネクタ２０との間で各半径を一定にしたままであるという効果を有する。公知の解決策においては、より小さくなる半径のために小さくなる流出速度は、この解決策においては、一定のままである。
【００５８】
上方カバーディスク３２及び下方カバーディスク３３の構造について上記において説明し且つ図３に示した実施例に加えて、これら２つのカバーディスク３２又は３３の一方だけが上記したような円錐形の構造を有し、他方のカバーディスク３３又は３２は、図２による実施例と共に用いたカバーディスク３２及び３３の場合のように、平坦であることも可能である。特に、本明細書においては非平行な表面カバーディスクの形状は、流れが生ずる円筒状スリーブの領域が、ブレード排出エッジと出口コネクタ２０との間の各半径について少なくともほぼ一定であるようにしてもよい。
【００５９】
本発明は、上記説明及び図面における実施例を参照しつつ単に例として説明され、これら実施例だけに限定されず、むしろ、当業者が本出願、特に特許請求の範囲、本明細書の導入部の全体的な説明、実施例の説明、図面について示したものから考えられる変形、変更、置換、及び組み合わせの全てを含んでいてもよく、当業者の技術的知識及び従来技術を組み合わせてもよい。特に、本発明の各特徴の全て、可能な形態、及びこれらの変形物が組み合わされてよい。
【図面の簡単な説明】
【００６０】
【図１】ジェットミルの実施例を部分的に断面図で示した概略図である。
【図２】垂直配置されたジェットミルの空気分級器の実施例の中心長手軸方向の断面の概略図であり、分級空気と固体粒子とから形成される混合物のための出口パイプが分級ホイールに配置された状態を示している。
【図３】空気分級器の分級ホイールの垂直方向の断面の概略図である。
【参照符号】
【００６１】
１  ジェットミル
２  円筒状ハウジング
３  粉砕チャンバ
４  粉砕材料供給器
５  粉砕ジェット入口
６  プロダクト出口
７  空気分級器
８  分級ホイール
９  入口開口部又は入口ノズル
１０  粉砕ジェット
１１  熱源
１２  熱源
１３  供給パイプ
１４  断熱スリーブ
１５  入口
１６  出口
１７  粉砕チャンバの中心
１８  貯蔵器又は生成装置
１９  ライン装置
２０  出口コネクタ
２１  分級器ハウジング
２２  ハウジングの上方部分
２３  ハウジングの下方部分
２４  周辺フランジ
２５  周辺フランジ
２６  関節部
２７  矢印
２８  分級スペースハウジング
２８ａ  支持アーム
２９  排出コーン状部材
３０  フランジ
３１  フランジ
３２  カバーディスク
３３  カバーディスク
３４  ブレード
３５  分級ホイールシャフト
３５ａ  回転ベアリング
３６  上方の加工プレート
３７  下方の加工プレート
３８  ハウジング終端部
３９  プロダクト供給コネクタ
４０  回転軸
４１  出口チャンバ
４２  上方カバープレート
４３  取り外し可能なカバー
４４  支持アーム
４５  円錐形環状ハウジング
４６  吸引フィルタ
４７  穴を設けられたプレート
４８  微細材料排出パイプ
４９  偏向コーン状部材
５０  分級空気入口螺旋部
５１  粗い材料の排出部
５２  フランジ
５３  フランジ
５４  排出領域
５５  内部エッジ及び内側を処理された（角を削られた）フランジ及びケーシング
５６  取替可能な保護パイプ
５７  取替可能な保護パイプ
５８  微細材料排出口／入口
５９  ブレードリング
【図１】
0005432707.tif 000002
【図２】
0005432707.tif 000003
【図３】
0005432707.tif 000004